(57)【要約】【課題】ファクシミリ装置における逆接続状態を円滑に解消する手段を提供する。【解決手段】ファクシミリ装置が、電話交換機からの電話回線に接続する電話回線接続端子と、電話機からの電話線に接続する電話機接続端子と、前記電話機接続端子とモデムとの接続回路に設けられたスイッチと、を備え、前記スイッチを切断状態したときの前記電話回線の回線電圧を基づいて、前記電話回線の接続状態を判定し、前記判定の結果が逆接続の場合は、前記モデムによる前記電話回線の捕捉後であって、規定待機時間の経過後に、前記モデムにより前記捕捉した電話回線を解放すると共に、前記規定待機時間の経過後に、前記スイッチを切断したまま逆接続の旨を報知する。【選択図】        図５
2019126000.tif 000002
【特許請求の範囲】
【請求項１】
電話交換機からの電話回線に接続する電話回線接続端子と、
電話機からの電話線に接続する電話機接続端子と、
前記電話機接続端子とモデムとの接続回路に設けられたスイッチと、を備え、
前記スイッチを切断状態にしたときの前記電話回線の回線電圧を基づいて、前記電話回線の接続状態を判定し、
前記判定の結果が逆接続の場合は、前記モデムによる前記電話回線の捕捉後であって、規定待機時間の経過後に、前記モデムにより前記捕捉した電話回線を解放すると共に、前記規定待機時間の経過後に、前記スイッチを切断したまま逆接続の旨を報知することを特徴とするファクシミリ装置。
【請求項２】
請求項１に記載のファクシミリ装置において、
前記規定待機時間を、前記電話交換機が、前記電話回線の捕捉を検出したときから、当該電話回線の開放を検出するまでの最長所要時間より長い時間としたことを特徴とするファクシミリ装置。
【請求項３】
電話交換機からの電話回線に接続する電話回線接続端子と、
電話機からの電話線に接続する電話機接続端子と、
前記電話回線接続端子とモデムとの接続回路に設けられた第１のスイッチと、
前記電話機接続端子と前記モデムとの接続回路に設けられた第２のスイッチと、を備え、
前記第１のスイッチを接続状態にして前記第２スイッチを切断状態したときの前記電話回線の回線電圧に基づいて、前記電話回線の接続状態を判定し、
前記判定の結果が逆接続の場合は、前記第１のスイッチを切断状態にし、前記第２スイッチを接続状態して前記電話回線と前記モデムとの間を接続することを特徴とするファクシミリ装置。
【発明の詳細な説明】
【技術分野】
【０００１】
本発明は、ファクシミリ通信機能と通話機能を備えたファクシミリ装置に関する。
【背景技術】
【０００２】
従来のファクシミリ装置は、ファクシミリ通信機能と通話機能を備え、予め検出した電話回線の接続状態を記憶部に格納しておき、ファクシミリの受信処理を行う場合は、呼出信号を検出したときに記憶部から接続状態を読出し、読出した接続状態が逆接続の場合は、回線捕捉後に、所定の時間待機して電話交換機にループ閉成を検出させ、電話機への接続回路を切断した後に再度接続し、その後に回線を解放して受信処理を終了させている（例えば、特許文献１参照。）。
【先行技術文献】
【特許文献】
【０００３】
【特許文献１】特開２０１７−２８５８０号公報（段落００５８−００６０、段落００６７、第８図）
【発明の概要】
【発明が解決しようとする課題】
【０００４】
しかしながら、上述した従来の技術においては、電話回線が逆接続されている場合は、逆接続状態が解消されるまでの間、相手先とのファクシミリ通信が行えない状態が継続するという問題がある。
本発明は、上記の問題点を解決するためになされたもので、ファクシミリ装置における逆接続状態を円滑に解消する手段を提供することを目的とする。
【課題を解決するための手段】
【０００５】
本発明は、上記課題を解決するために、ファクシミリ装置が、電話交換機からの電話回線に接続する電話回線接続端子と、電話機からの電話線に接続する電話機接続端子と、前記電話機接続端子とモデムとの接続回路に設けられたスイッチと、を備え、前記スイッチを切断状態にしたときの前記電話回線の回線電圧を基づいて、前記電話回線の接続状態を判定し、前記判定の結果が逆接続の場合は、前記モデムによる前記電話回線の捕捉後であって、規定待機時間の経過後に、前記モデムにより前記捕捉した電話回線を解放すると共に、前記規定待機時間の経過後に、前記スイッチを切断したまま逆接続の旨を報知することを特徴とする。
【発明の効果】
【０００６】
これにより、本発明は、ファクシミリ装置における逆接続状態を円滑に解消して、相手先とのファクシミリ通信を可能にすることができるという効果が得られる。
【図面の簡単な説明】
【０００７】
【図１】実施例１の通信システムを示す説明図
【図２】実施例１のファクシミリ装置を示す説明図
【図３】実施例１のファクシミリ装置の発信者電話番号通知サービスの接続処理を示すフローチャート
【図４】実施例１のファクシミリ装置における電話回線の逆接続状態を示す説明図
【図５】実施例１のファクシミリ装置の受信処理を示すフローチャート
【図６】実施例２の電話回線の逆接続状態における通信部を示す説明図
【図７】実施例２のファクシミリ装置の受信処理を示すフローチャート
【発明を実施するための形態】
【０００８】
以下に、図面を参照して本発明によるファクシミリ装置の実施例について説明する。
【実施例１】
【０００９】
以下に、図１ないし図５を用いて本実施例のファクシミリ装置について説明する。
【００１０】
本実施例の通信システムは、図１に示すように、ファクシミリ装置１と、相手先のファクシミリ装置である相手機２とを、公衆電話網やローカル電話網等の電話網３を介して接続して構成され、ファクシミリ装置１は、電話回線５ａを介して電話網３に設けられた電話交換機６ａに接続され、相手機２は、電話回線５ｂを介して電話網３に設けられた電話交換機６ｂに接続される。
【００１１】
電話回線５ａ、５ｂは、電話交換機６ａとファクシミリ装置１、電話交換機６ｂと相手機２をそれぞれ物理的に接続する伝送路である。
本実施例のファクシミリ装置１は、電話機８による相手先との通話機能と、相手機２との間で原稿の画像データ等の送受を行うファクシミリ通信機能を有する装置であって、図２に示す構成を備えている。
【００１２】
電話機８は、電話線８ａを介してファクシミリ装置１に接続され、電話網３に接続されている相手先の電話機と通話を行うときに用いられる。
なお、本実施例の電話機８の電話番号とファクシミリ通信用の電話番号は同一である。
【００１３】
ファクシミリ装置１の制御部１１は、ＣＰＵ等を備えており、バス１２を介してファクシミリ装置１内の各部を制御してファクシミリの受信処理や送信処理等のファクシミリ通信処理を実行する。
【００１４】
記憶部１３は、ＲＯＭやＲＡＭ、ハードディスク等を備えており、制御部１１が実行する通信処理プログラムを格納すると共に、制御部１１によるプログラム実行時の処理結果や、原稿の画像データ等を格納する。
表示部１４は、ＬＣＤ等の表示画面を備えており、表示画面に、利用者に報知する装置状態等の各種の情報を表示する。
【００１５】
操作部１５は、スタートキーやカーソルキー、テンキー等からなる入力手段を備えており、入力手段により利用者からの入力を受付ける。
読取部１６は、スキャナ等を備えており、媒体としての印刷用の用紙に印刷された原稿の原稿画像を光学的に読取り、読取った原稿画像を画像データに変換する。
【００１６】
印刷部１７は、感熱記録方式、電子写真方式等のプリンタを備えており、相手機２等の他のファクシミリ装置（他のファクシミリ装置を含める場合は、相手機２等という。）から受信した原稿の画像データを用紙に印刷して排出する。
通信部１８は、モデム１９、スイッチ２０等を備えており、電話網３に接続されている相手機２等とのファクシミリ通信時に、画像データや手順信号等の変調、復調、伝送等を行う。
【００１７】
本実施例の制御部１１に設けられたファクシミリ通信制御部２１は、通信部１８のモデム１９やスイッチ２０を制御して、電話網３に接続された相手機２等と、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  ｓｔａｎｄａｒｄｉｚａｔｉｏｎ  ｓｅｃｔｏｒ)により規定された勧告Ｔ．３０の伝送制御手順に基づいてファクシミリ通信を行う機能を有するプログラムと制御部１１により形成される機能手段である。
【００１８】
表示制御部２２は、表示部１４を制御して、利用者に報知するファクシミリ装置１の装置状態等の情報を表示する機能を有するプログラムと制御部１１により形成される機能手段である。
ジョブ制御部２３は、通信部１８によるファクシミリ通信のジョブ管理や、印刷部１７による印刷処理のジョブ管理等を行う機能を有するプログラムと制御部１１により形成される機能手段である。
【００１９】
画像処理制御部２４は、読取部１６から出力された画像データの符号化や、電話網３に接続された相手機２等から受信した画像データの復号化を行う機能を有するプログラムと制御部１１により形成される機能手段である。
印刷制御部２５は、印刷部１７を制御して、電話網３に接続された相手機２等から受信した画像データの印刷行う機能を有するプログラムと制御部１１により形成される機能手段である。
【００２０】
読取制御部２６は、読取部１６を制御して、単一または複数の原稿画像を読取って変換した画像データを記憶部１３に格納する機能を有するプログラムと制御部１１により形成される機能手段である。
データ制御部２７は、記憶部１３に対して、電話網３に接続された相手機２等から受信した画像データ、読取部１６から出力された画像データの読取りや書込みを行う機能を有するプログラムと制御部１１により形成される機能手段である。
【００２１】
上記した本実施例の通信部１８は、モデム１９、スイッチ２０の他に、バス接続端子３１、電話回線接続端子３２、電話機接続端子３３等を備えている。
モデム１９は、接続回路を介してバス接続端子３１、電話回線接続端子３２にそれぞれ接続され、電話回線接続端子３２への接続回路から分岐した接続回路によりスイッチ２０を介して電話機接続端子３３に接続される。
【００２２】
スイッチ２０は、ファクシミリ通信制御部２１により制御される電気回路の開閉器であって、図２に示す実線のようにスイッチ２０を閉作動させたＯＮ状態のときに、電話回線接続端子３２と電話機接続端子３３との間を電気的に接続する。
これにより、電話機８とモデム１９は、電話回線５ａに対して並列に接続される。
【００２３】
また、スイッチ２０は、図２に示す２点鎖線のようにスイッチ２０を開作動させたＯＦＦ状態のときに、電話回線接続端子３２と電話機接続端子３３との間を切断する。
これにより、モデム１９が電話回線５ａを捕捉したときに、電話回線接続端子３２と電話機接続端子３３とを切断することが可能になり、モデム１９によるファクシミリ通信時に電話機８からの影響を低減することができる。
【００２４】
なお、スイッチ２０は、電話回線接続端子３２と電話機接続端子３３の双方とモデム１９との接続を可能にするために、常時はＯＮ状態になっている。
バス接続端子３１は、バス１２を介した、モデム１９と制御部１１等とのデータの送受信を行うための接続端子である。
【００２５】
電話回線接続端子３２は、一般にモジュールジャックと呼ばれるコネクタであって、電話回線５ａをモデム１９に接続するときに、電話回線５ａの端部に設けられたコネクタが装着される。
【００２６】
電話機接続端子３３は、電話回線接続端子３２と同様のコネクタであって、ファクシミリ装置１に電話機８を接続するときに、電話機８に接続された電話線８ａの端部に設けられたコネクタが装着される。
以下に、図３に示すフローチャートを用いて、本実施例のファクシミリ装置１による、電話網利用サービスとしての、発信者電話番号通知サービス（例えば、ナンバーディスプレイ（東日本電信電話会社の登録商標））の接続処理の処理動作について説明する。
【００２７】
利用者がファクシミリ装置１に電源を投入すると、記憶部１３に格納されている通信処理プログラムが自動的に起動される。
【００２８】
Ｓ１：制御部１１は、ファクシミリ通信制御部２１によって、電話網３の電話交換機６ａから送出される受信端末起動信号（ＣＡＲ信号）の検出を待って待機しており、通信部１８のモデム１９により受信端末起動信号を検出したときに、受信処理の開始を認識してステップＳ２へ移行する。受信端末起動信号を検出しない場合は前記の待機を継続する。
【００２９】
Ｓ２：受信処理の開始を認識した制御部１１は、ファクシミリ通信制御部２１により通信部１８のスイッチ２０をＯＦＦにして電話機接続端子３３への接続回路を切断する。
【００３０】
Ｓ３：電話機接続端子３３への接続回路を切断した制御部１１は、ファクシミリ通信制御部２１によりモデム１９へ回線捕捉指示を行い、モデム１９は、１次応答として電話回線５ａを捕捉する。
【００３１】
このファクシミリ装置１による回線捕捉は、電話回線接続端子３２、電話回線５ａを経由して電話交換機６ａに伝えられ、電話交換機６ａはループ閉成を検出する。
ループ閉成を検出した電話交換機６ａは、ループ閉成の検出時から情報等送出時間（０．１から３秒間）以内に情報等の送出を行う。
【００３２】
Ｓ４：１次応答として回線を捕捉した制御部１１は、電話交換機６ａから送出される情報等（送信元の電話番号等）の受信を待って待機し、モデム１９により情報等を受信したときにステップＳ５へ移行する。情報等を受信しない場合は前記の待機を継続する。
【００３３】
Ｓ５：電話交換機６ａからの情報等を受信した制御部１１は、ファクシミリ通信制御部２１によりモデム１９へ回線解放指示を行い、モデム１９は、１次応答として捕捉した電話回線５ａを解放する。
【００３４】
このファクシミリ装置１による回線解放を検出して、電話交換機６ａは、ファクシミリ装置１による情報等の受信が完了したと認識する。
この場合に電話交換機６ａは、情報等の送出後に、７秒間の回線解放待ち時間の経過を待って待機し、回線解放待ち時間内に回線解放を検出したときは、ファクシミリ装置１に対して呼出信号（ＩＲ信号）を送出する。
【００３５】
また、電話交換機６ａは、回線解放待ち時間内に回線解放を検出しない場合は、発信者電話番号通知サービスの接続動作を中断し、発信側、着信側の双方に話中音（着信側が話し中等の場合に発せられる信号音）を送出して今回の発信者電話番号通知サービスを終了させる。
【００３６】
Ｓ６：１次応答として捕捉した回線を解放した制御部１１は、回線解放後に、電話交換機６ａから送出される呼出信号の検出を待って待機し、モデム１９によって呼出信号を検出したときにステップＳ７へ移行する。呼出信号を検出しない場合は前記の待機を継続する。
【００３７】
Ｓ７：呼出信号を検出した制御部１１は、ファクシミリ通信制御部２１によりモデム１９へ回線捕捉指示を行い、モデム１９は、２次応答として電話回線５ａを捕捉する。
【００３８】
Ｓ８：２次応答として回線を捕捉した制御部１１は、その後に相手機２から送信される画像データ等を受信して、後述する印刷処理等を実行する。
【００３９】
印刷処理等の実行を終えた制御部１１は、今回の受信処理を終了させ、ステップＳ１へ戻って、受信端末起動信号の検出待ち状態での待機を継続する。
このようにして、本実施例のファクシミリ装置１よる発信者電話番号通知サービスの接続処理が行われる。
【００４０】
以下に、図４および図５に示すフローチャートを用いて、本実施例のファクシミリ装置１によるファクシミリの受信処理の処理動作について説明する。
【００４１】
本実施例の記憶部１３には、電話回線５ａが電話回線接続端子３２に正しく接続されているか否かを判定するための回線電圧の所定の閾値である回線電圧閾値が予め設定されて格納されている。
【００４２】
この回線電圧閾値は、０Ｖより大きく、かつファクシミリ装置１が電話回線５ａに接続した場合の規定の回線電圧より低く設定される。
また、記憶部１３には、ファクシミリ通信制御部２１が、電話交換機６ａによる発信者電話番号通知サービスの接続動作の中断を待つ規定待機時間が、予め設定されて格納されている。
【００４３】
この規定待機時間は、発信者電話番号通知サービスの接続処理において、ファクシミリ装置１からの１次応答（図３のステップＳ３）により電話交換機６ａがループ閉成を検出した後の情報等送出時間（０．１から３秒間）と、電話交換機６ａが情報等の送出後に、ファクシミリ装置１による回線解放（図３のステップＳ５）を待つ回線解放待ち時間（７秒間）との和の最長時間、つまり、電話交換機６ａが、ファクシミリ装置１による回線捕捉を検出したときから、当該回線の開放を検出するまでの最長所要時間（本実施例では１０秒間）に設定される。
【００４４】
更に、記憶部１３には、表示部１４の表示画面に逆接続である旨等を表示しながら、電話回線５ａの接続状態を再確認する時間間隔である所定時間（本実施例では１分間）が予め設定されて格納されている。
【００４５】
なお、以下の説明においては、ファクシミリ装置１への接続状態は、図４に示すように、電話回線接続端子３２に電話線８ａが、電話機接続端子３３に電話回線５ａが接続されている場合を逆接続といい、図２に示すように、電話回線接続端子３２に電話回線５ａが、電話機接続端子３３に電話線８ａが正しく接続されている場合を正常接続という。
【００４６】
本受信処理におけるステップＳＡ１、ＳＡ２の処理動作は、図３を用いて説明した発信者電話番号通知サービスの接続処理のステップＳ１、Ｓ２の処理動作と同様であるので、その説明を省略する。
【００４７】
ＳＡ３：電話機接続端子３３への接続回路を切断した制御部１１は、ファクシミリ通信制御部２１により、記憶部１３から回線電圧閾値を読出すと共に、通信部１８のモデム１９から電話回線５ａの回線電圧を取得し、取得した回線電圧が、回線電圧閾値以上の場合は正常接続と判定してステップＳＡ４へ移行する。
【００４８】
取得した回線電圧が、回線電圧閾値未満の場合は逆接続と判定してステップＳＡ１３へ移行する。
【００４９】
ＳＡ４：電話回線５ａが正常接続されていると判定した制御部１１は、ファクシミリ通信制御部２１によりモデム１９へ回線捕捉指示を行い、モデム１９は、１次応答として電話回線５ａを捕捉する。
【００５０】
このファクシミリ装置１による回線捕捉は、電話回線接続端子３２、電話回線５ａを経由して電話交換機６ａに伝えられ、電話交換機６ａはループ閉成を検出する。
【００５１】
その後のステップＳＡ５からＳＡ８の処理動作は、上記図３のステップＳ４からＳ７の処理動作と同様であるので、その説明を省略する。
【００５２】
ＳＡ９：２次応答として回線を捕捉した制御部１１は、ファクシミリ通信制御部２１により相手機２から勧告Ｔ．３０に従って送信される画像データを受信し、受信した画像データをデータ制御部２７によって記憶部１３に保存する。
【００５３】
ＳＡ１０：相手機２からの画像データを受信した制御部１１は、ファクシミリ通信制御部２１によりモデム１９へ回線解放指示を行い、モデム１９は、２次応答として捕捉した回線を解放する。
【００５４】
ＳＡ１１：２次応答として捕捉した回線を解放した制御部１１は、ファクシミリ通信制御部２１によりスイッチ２０をＯＮにして電話回線接続端子３２と電話機接続端子３３とを接続する。
【００５５】
ＳＡ１２：電話回線接続端子３２と電話機接続端子３３とを接続した制御部１１は、ステップＳＡ９で記憶部１３に保存した画像データを画像処理制御部２４によって復号し、これを印刷制御部２５へ送出する。印刷制御部２５は、受取った画像データを印刷部１７によって用紙に印刷して排出する。
【００５６】
印刷処理等の実行を終えた制御部１１は、今回の受信処理を終了させ、ステップＳＡ１へ戻って、受信端末起動信号の検出待ち状態での待機を継続する。
【００５７】
このようにして、正常接続の場合におけるファクシミリの受信処理が行われる。
【００５８】
ＳＡ１３：一方、上記ステップＳＡ３で、電話回線５ａが逆接続されていると判定した制御部１１は、ファクシミリ通信制御部２１により通信部１８のスイッチ２０をＯＮにして電話機接続端子３３とモデム１９とを接続する。
【００５９】
ＳＡ１４：電話機接続端子３３とモデム１９とを接続した制御部１１は、通信部１８のモデム１９により１次応答として電話回線５ａを捕捉する。
【００６０】
このファクシミリ装置１による回線捕捉は、ＯＮ状態のスイッチ２０、電話機接続端子３３、電話回線５ａを経由して電話交換機６ａに伝えられ、電話交換機６ａはループ閉成を検出し、情報等送出時間（０．１から３秒間）の経過後に回線解放待ち時間（７秒間）の経過を待って待機する。
【００６１】
ＳＡ１５：１次応答として回線を捕捉した制御部１１は、記憶部１３から規定待機時間（本実施例では１０秒間）を読出して、当該規定待機時間の経過を待って待機し、回線捕捉後の経過時間が規定待機時間を超えたときにステップＳＡ１６へ移行する。経過時間が規定待機時間以内の場合は前記の待機を継続する。
【００６２】
ＳＡ１６：規定待機時間の経過を認識した制御部１１は、ファクシミリ通信制御部２１によりモデム１９へ回線解放指示を行い、モデム１９は、１次応答として捕捉した電話回線５ａを解放する。
【００６３】
このとき、電話交換機６ａにおける回線解放待ち時間が既に経過しているので、電話交換機６ａは、発信者電話番号通知サービスの接続動作を中断し、ファクシミリ装置１、相手機２の双方に話中音を送出して今回の発信者電話番号通知サービスを終了させている。
【００６４】
ＳＡ１７：１次応答として捕捉した回線を解放した制御部１１は、スイッチ２０をＯＦＦにして、電話回線５ａが接続されている電話機接続端子３３への接続回路を切断し、記憶部１３から所定時間（本実施例では、１分間）を読出してステップＳＡ１８へ移行する。
【００６５】
ＳＡ１８：電話機接続端子３３への接続回路を切断した制御部１１は、表示制御部２２によって、表示部１４の表示画面に、電話回線５ａが電話機接続端子３３に接続された逆接続状態である旨の文言等を表示した逆接続報知画面を表示して、利用者に逆接続である旨を報知する。
【００６６】
ＳＡ１９：制御部１１は、所定時間の経過を待って待機し、経過時間が所定時間を超えたときにステップＳＡ２０へ移行する。経過時間が所定時間以内の場合は前記の待機を継続する。
【００６７】
ＳＡ２０：所定時間の経過を認識した制御部１１は、上記ステップＳＡ３と同様にして、電話回線５ａの接続状態を判定し、接続状態が逆接続のままの場合は、表示部１４の表示画面に逆接続報知画面を表示しながら、利用者による電話回線５ａと電話線８ａの接続変更を待って待機する。
【００６８】
接続状態が正常接続の場合は、利用者による接続変更により電話回線５ａと電話線８ａが、それぞれ電話回線接続端子３２と電話機接続端子３３に正しく接続されたと判定してステップＳＡ２１へ移行する。
【００６９】
ＳＡ２１：接続状態が正常接続になったと判定した制御部１１は、表示部１４に表示した逆接続報知画面を消去すると共に、ファクシミリ通信制御部２１により通信部１８のスイッチ２０をＯＮにして電話機８が接続されている電話機接続端子３３と電話回線接続端子３２との間の回路を接続し、今回の受信処理を終了させてステップＳＡ１へ戻り、受信端末起動信号の検出待ち状態での待機を継続する。
【００７０】
このようにして、逆接続の場合におけるファクシミリの受信処理が行われる。
【００７１】
以上説明したように、本実施例では、受信端末起動信号の検出後に、電話機接続端子３２をモデム１９から切断して電話回線５ａの接続状態を判定し、逆接続の場合は、回線捕捉後に規定待機時間の待機を行い、その後に電話機接続端子３３とモデム１９とを切断したまま、逆接続が解消するまで逆接続である旨を報知するので、利用者は、電話回線５ａの接続状態が逆接続であることを容易に知得することができ、ファクシミリ装置１における逆接続状態を円滑に解消して、相手先とのファクシミリ通信を可能にすることができる。
【００７２】
また、規定待機時間を、接続中の電話交換機６ａが回線捕捉を検出したときから、当該回線の開放を検出するまでの最長所要時間より長く設定（本実施例では１０秒間）したので、発信者電話番号通知サービスの接続処理を中断させて、情報等送出後の呼出信号の到来を抑止することができる。
【００７３】
なお、本実施例では、逆接続である旨の利用者への報知は、逆接続報知画面を表示して行うとして説明したが、印刷部１７により逆接続である旨を用紙に印刷して利用者へ報知するようにしてもよい。
【実施例２】
【００７４】
以下に、図６および図７を用いて本実施例のファクシミリ装置について説明する。なお上記実施例１と同様の部分は、同一の符号を付してその説明を省略する。
【００７５】
本実施例のファクシミリ装置１の通信部１８には、図６に示すように、モデム１９と電話回線接続端子３２との接続回路に、第１のスイッチとしての回線側スイッチ４１が設けられ、モデム１９と電話機接続端子３３との接続回路に、第２のスイッチとしての電話機側スイッチ４２が設けられている。
なお、図６は、電話回線５ａの逆接続状態を示している。
【００７６】
また、回線側スイッチ４１と電話機側スイッチ４２の構成は、上記実施例１のスイッチ２０の構成と同様であり、回線側スイッチ４１と電話機側スイッチ４２は、電話回線接続端子３２と電話機接続端子３３の双方とモデム１９との接続を可能にするために、常時はそれぞれＯＮ状態になっている。
これにより、電話機８とモデム１９は、電話回線５ａに対して並列に接続される。
【００７７】
以下に、図７に示すフローチャートを用いて、本実施例のファクシミリ装置１によるファクシミリの受信処理の処理動作について説明する。
【００７８】
本実施例の記憶部１３には、上記実施例１と同様の、回線電圧閾値が予め設定されて格納されている。
なお、本実施例では、上記実施例１で説明した規定待機時間および所定時間の記憶部１３への格納は、省略されている。
【００７９】
ＳＢ１：制御部１１は、上記実施例１のステップＳ１（図３）と同様にして、電話交換機６ａから送出される受信端末起動信号（ＣＡＲ信号）の検出を待って待機しており、モデム１９により受信端末起動信号を検出したときに、受信処理の開始を認識してステップＳＢ２へ移行する。受信端末起動信号を検出しない場合は前記の待機を継続する。
【００８０】
ＳＢ２：受信処理の開始を認識した制御部１１は、ファクシミリ通信制御部２１により通信部１８の電話機側スイッチ４２をＯＦＦにして電話機接続端子３３への接続回路を切断する。
【００８１】
ＳＢ３：電話機接続端子３３への接続回路を切断した制御部１１は、上記実施例１のステップＳＡ３（図５）と同様にして、通信部１８のモデム１９から電話回線５ａの回線電圧を取得し、取得した回線電圧が、回線電圧閾値以上の場合は正常接続と判定してステップＳＢ４へ移行する。
【００８２】
取得した回線電圧が、回線電圧閾値未満の場合は逆接続と判定してステップＳＢ１２へ移行する。
【００８３】
その後のステップＳＢ５からＳＢ１０の処理動作は、上記実施例１のステップＳＡ４からＳＡ１０の処理動作と同様であるので、その説明を省略する。
【００８４】
ＳＢ１１：２次応答として捕捉した回線を解放した制御部１１は、ファクシミリ通信制御部２１により電話機側スイッチ４２をＯＮにして電話回線接続端子３２と電話機接続端子３３とを接続しステップＳＢ２２へ移行する。
【００８５】
ＳＢ１２：一方、上記ステップＳＢ３で、電話回線５ａが逆接続されていると判定した制御部１１は、ファクシミリ通信制御部２１により通信部１８の電話機側スイッチ４２をＯＮにして電話機接続端子３３とモデム１９とを接続する。
【００８６】
ＳＢ１３：電話機接続端子３３とモデム１９とを接続した制御部１１は、ファクシミリ通信制御部２１により通信部１８の回線側スイッチ４１をＯＦＦにして電話回線接続端子３２への接続回路を切断する。
【００８７】
これにより、電話回線５ａは、電話機接続端子３３、ＯＮ状態の電話機側スイッチ４２を経由してモデム１９に接続される。
【００８８】
ＳＢ１４：電話機側スイッチ４２をＯＮにして電話回線５ａとモデム１９を接続した制御部１１は、ファクシミリ通信制御部２１によりモデム１９へ回線捕捉指示を行い、モデム１９は、１次応答として電話回線５ａを捕捉する。
【００８９】
その後のステップＳＢ１５からＳＢ２０の処理動作は、上記ステップＳＢ５からＳＢ１０の処理動作と同様であるので、その説明を省略する。
【００９０】
ＳＢ２１：２次応答として捕捉した回線を解放した制御部１１は、ファクシミリ通信制御部２１により回線側スイッチ４１をＯＮにして電話回線接続端子３２と電話機接続端子３３とを接続しステップＳＢ２２へ移行する。
【００９１】
ＳＢ２２：上記ステップＳＢ１１またはＳＢ２１から移行した制御部１１は、上記実施例１のステップＳＡ１２と同様にして、ステップＳＢ９またはＳＢ１９で記憶部１３に保存した画像データを印刷部１７によって用紙に印刷して排出する。
【００９２】
印刷処理等の実行を終えた制御部１１は、今回の受信処理を終了させ、ステップＳＢ１へ戻って、受信端末起動信号の検出待ち状態での待機を継続する。
【００９３】
このようにして、正常接続および逆接続の場合におけるファクシミリの受信処理が行われる。
【００９４】
以上説明したように、本実施例では、ファクシミリ装置１の通信部１８に、モデム１９と、電話回線接続端子３２および電話機接続端子３３との接続回路に、それぞれ回線側スイッチ４１および電話側接続端子４２を設けたので、電話回線５ａと電話線８ａが逆接続された状態であっても、逆接続と判定した場合に、電話回線接続端子３２をモデム１９から切断して、電話機接続端子３３を経由して電話回線５ａとモデム１９とを接続することが可能になり、逆接続状態を解消せずとも、ファクシミリ装置１における逆接続状態を自動的に解消して、相手先との間のファクシミリ通信を可能にすることができる。
【００９５】
なお、上記各実施例においては、ファクシミリ通信機能と通話機能を備えたファクシミリ装置１に本発明を適用した場合について説明したが、電話網３からの電話回線５ａに対して、２つの機器が並列接続可能な装置であれば、どのような装置であっても本発明を適用すれば同様の効果を得ることができる。
【符号の説明】
【００９６】
１    ファクシミリ装置
２    相手機
３    電話網
５ａ、５ｂ  電話回線
６ａ、６ｂ  電話交換機
８    電話機
８ａ  電話線
１１  制御部
１２  バス
１３  記憶部
１４  表示部
１５  操作部
１６  読取部
１７  印刷部
１８  通信部
１９  モデム
２０  スイッチ
２１  ファクシミリ通信制御部
２２  表示制御部
２３  ジョブ制御部
２４  画像処理制御部
２５  印刷制御部
２６  読取制御部
２７  データ制御部
３１  バス接続端子
３２  電話回線接続端子
３３  電話機接続端子
４１  回線側スイッチ
４２  電話機側スイッチ
【図１】
2019126000.tif 000003
【図２】
2019126000.tif 000004
【図３】
2019126000.tif 000005
【図４】
2019126000.tif 000006
【図５】
2019126000.tif 000007
【図６】
2019126000.tif 000008
【図７】
2019126000.tif 000009